(57)【要約】【課題】フィンへの塵埃の付着を防止して発熱部品からの熱の放熱効率を低下させない放熱ユニットを備えた電子機器を得る。【解決手段】動作時に発熱する発熱部品２４を含む電子部品が収容された筐体２０ａと、互いに主面が対向するように所定の間隙を介して配列された複数のフィン３６を備えた、発熱部品からの発熱が伝達される放熱体３５と、放熱体の複数のフィンの間隙に排気口から冷却風を送風するファン３１とを備え、放熱体の複数のフィンは、配列方向の両端部に配置された第１のフィン３６Ａと配列方向の中間部に配置された第２のフィン３６Ｂとを含み、第１のフィンは、ファン側の端部が、その長さ方向の全長にわたって排気口の放熱体側端面との間隔が一定となるように形成され、第２のフィンは、ファン側の端部が、その長さ方向の少なくとも一方の端部において、排気口の放熱体側端面との間隔が広がるように形成されている。【選択図】図３
2013041334.tif 000002
【特許請求の範囲】
【請求項１】
動作時に発熱する発熱部品を含む電子部品が収容された筐体と、
互いに主面が対向するように所定の間隙を介して配列された複数のフィンを備えた、前記発熱部品からの発熱が伝達される放熱体と、
前記放熱体の前記複数のフィンの間隙に排気口から冷却風を送風するファンとを備え、
前記放熱体の前記複数のフィンは、配列方向の両端部に配置された第１のフィンと配列方向の中間部に配置された第２のフィンとを含み、
前記第１のフィンは、前記ファン側の端部が、その長さ方向の全長にわたって前記排気口の前記放熱体側端面との間隔が一定となるように形成され、
前記第２のフィンは、前記ファン側の端部が、その長さ方向の少なくとも一方の端部において、前記排気口の前記放熱体側端面との間隔が広がるように形成されていることを特徴とする電子機器。
【請求項２】
前記放熱体の前記複数のフィンは、その主面が電子機器の使用状態における上下方向に沿って配置され、
前記第２のフィンの前記ファン側の端部は、電子機器の使用状態における下側部分が前記排気口の前記放熱体側端面との間隔が広がるように形成されている請求項１に記載の電子機器。
【請求項３】
前記第２のフィンの前記ファン側の端部が、電子機器の使用状態における上端部から下端部にかけて、前記排気口の前記放熱体側端面との間隔が漸次広がる傾斜面により形成されている請求項２に記載の電子機器。
【請求項４】
前記第２のフィンの前記ファン側の端部が、電子機器の使用状態における上下方向の中間部分から下端部にかけて、前記排気口の前記放熱体側端面との間隔が漸次広がる湾曲面により構成されている請求項２に記載の電子機器。
【請求項５】
前記第１のフィンが、配列方向の両端部に複数枚ずつ配置されている請求項１〜４のいずれかに記載の電子機器。
【請求項６】
前記第２のフィンが、前記第１のフィンよりも電子機器の使用状態における上下方向の長さが短く、前記第２のフィンが配置されている部分の前記放熱体の下面側に、前記ファンからの冷却風が通過する空洞部が形成されている請求項２〜５のいずれかに記載の電子機器。
【発明の詳細な説明】
【技術分野】
【０００１】
本発明は、動作時に発熱する発熱部品を筐体内に有する電子機器、例えば発熱部品であるＣＰＵ（中央処理装置）を備えたノートパソコン等の電子機器に関し、特に、発熱部品からの熱を外部に放出する放熱ユニットの構成に関する。
【背景技術】
【０００２】
例えば、電子機器の一例であるノートパソコンの場合、その性能向上にともなってＣＰＵ等の発熱部品からの発熱量が増大している。また、携帯型の電子機器であるノートパソコンの場合には、携帯型の電子機器としての小型化軽量化が求められているため、狭い筐体の内部に各種の電子部品が詰め込まれることとなり、発熱部品からの熱を効果的に筐体の外部に放出することができる、高性能な放熱ユニットを備えることが求められている。
【０００３】
このような要請に応じるために、発熱部品からの熱が伝達される放熱フィンを備えた放熱体と、放熱体内に冷却風を送り込む送風手段であるファンとを備えた放熱ユニットが用いられている。この従来の放熱ユニットでは、発熱部品であるＣＰＵを直接、または、ヒートパイプなどによって間接的に、放熱体と接触させてその発熱を伝え、伝達された発熱部品の熱をファンからの冷却風で筐体の外部に放出することが行われている。このような従来の放熱ユニットでは、その放熱効果をより向上させるために放熱体のフィンの表面積を大きくすることが有効であり、限られた狭い空間内に狭い間隙を介してフィンが配列されている。しかし、フィンの形成間隔を狭くすると、ファンによって供給される冷却風に含まれる細かな塵埃が、特に、フィンのファンに対向した側面に付着しやすくなる。フィンの側面に付着した塵埃は、一旦付着してしまうと急速に堆積しやすく、堆積した塵埃がフィンの隙間を埋めて放熱体のファンからの冷却風が流入する側の面全体を覆ってしまうようになると、フィンの間隙にファンからの冷却風が送り込めなくなり、放熱ユニットの放熱効果を著しく損ねることになる。
【０００４】
このように、フィンの側面に塵埃が堆積して放熱ユニットの放熱効果が損なわれることを防止するために、フィンに付着した塵埃を除去する掃除部材であるブラシを備えた放熱ユニットが提案されている（特許文献１参照）。
【０００５】
図９に、特許文献１に記載された、従来の電子機器に用いられている放熱ユニットの概略構成を示す。
【０００６】
従来の放熱ユニット１００は、冷却風を送風するファン１３１と図には現れないフィンを有する放熱体１３６とを備えている。ファン１３１からの冷却風が放熱体１３６に形成されたフィンの隙間を通って筐体１２０の外部に放出されることで、放熱体１３６に伝達された発熱部品である図示しないＣＰＵの熱が筐体１２０の外部に放出される。
【０００７】
放熱体１３６のファン１３１が配置された側の端部には、放熱体１３６のフィンに付着した塵埃をこすって落とすことができる掃除部材であるブラシ１３３と、このブラシ１３３を図中矢印１４１の方向に動かす回転機構１３４とが備えられている。
【０００８】
上記従来の放熱ユニット１００では、回転機構１３４を回転させる図示しない操作体を備え、この操作体をユーザが必要に応じて押し込むことにより、または、例えばノートパソコンの蓋部が閉じられる際に連動して押し込まれることにより、ブラシ１３３が矢印１４１の方向に回転してフィンの側面を掃除する。この際、ブラシ１３３によってフィンの間から除去された塵埃は、ファン１３１からの冷却風によって、筐体１２０に形成された放出口１２１から外部に放出される。
【０００９】
また、従来の放熱ユニット１００では、ファン１３１と放熱体１３６とを接続する接続体１３２の下面に開口部１３５が設けられていて、ブラシ１３３によって除去された塵埃は、開口部１３５から筐体１２０の内部に落下する。この落下した塵埃は、放熱体１３６内を経由して筐体１２０の外部に放出される冷却風の流れとは別の流路である、開口部１３５から筐体１２０内を通って放出口１２１に繋がる流路から、筐体１２０の外部に放出される。
【００１０】
なお、特許文献１には、ブラシ１３３によるフィンに付着した塵埃の除去を、電気的に制御できるモータを用いて行うことが開示されている。また、ブラシ１３３の動作するタイミングとして、ＣＰＵがシャットダウンしたことが検出された場合や、ＣＰＵの温度が一定温度以上に到達した場合、ノートパソコンの使用時間が一定時間に到達した場合などが例示されている。
【先行技術文献】
【特許文献】
【００１１】
【特許文献１】特開２００８−３０６００１号公報
【発明の概要】
【発明が解決しようとする課題】
【００１２】
上記従来の電子機器の放熱ユニット１００は、フィンに付着したファン１３１からの冷却風に含まれる塵埃を除去する掃除部材であるブラシ１３３を備え、所定のタイミングでフィンに付着した塵埃を除去できるため、フィンに大量の塵埃が堆積して冷却風の流入が妨げられるという事態を回避することができる。
【００１３】
しかし、上記従来の放熱ユニット１００では、ブラシ１３３で付着した塵埃を除去するタイミングとして、発熱部品であるＣＰＵが動作しファン１３１から冷却風が送風されている状態を想定している。従来の放熱ユニット１００では、ブラシ１３３が放熱体１３６内の冷却風の流路を完全には遮らない形状として、塵埃を除去する際に冷却風が流れなくなって放熱効果が失われてしまうことを防止しているが、冷却風の流路にブラシが存在することによる放熱効率の低下は否めない。また、従来の放熱ユニット１００では、ブラシ１３３が塵埃を除去している際の冷却風の流路とするとともに、ブラシ１３３で除去された塵埃を筐体１２０の外部に放出するための流路として、ファン１３１と放熱体１３６とを接続する接続体１３２の下面に開口部１３５が設けられている。しかし、開口部１３５が設けられていることで、ファン１３１からの冷却風の一部が定常的に放熱体１３６内を通過できず、ファン１３１による冷却風を放熱体１３６の熱の放出に完全に利用できていないという点において、放熱効率の低下が常に生じていることになる。
【００１４】
このように、従来の放熱ユニット１００では、ファン１３１からの冷却風を有効に利用できていないため、ＣＰＵが一層大きな熱を放出する近年のノートパソコンの高性能化に十分対応できるものとは言えなかった。
【００１５】
本発明は、上記従来の放熱ユニットを備えた電子機器における課題を解決するものであり、フィンに付着した塵埃を除去する掃除部材を備えることなく、フィンへの塵埃の付着を防止して発熱部品からの熱の放熱効率を低下させない放熱ユニットを備えた電子機器を得ることを目的とする。
【課題を解決するための手段】
【００１６】
上記課題を解決するため本発明の電子機器は、動作時に発熱する発熱部品を含む電子部品が収容された筐体と、互いに主面が対向するように所定の間隙を介して配列された複数のフィンを備えた、前記発熱部品からの発熱が伝達される放熱体と、前記放熱体の前記複数のフィンの間隙に排気口から冷却風を送風するファンとを備え、前記放熱体の前記複数のフィンは、配列方向の両端部に配置された第１のフィンと配列方向の中間部に配置された第２のフィンとを含み、前記第１のフィンは、前記ファン側の端部が、その長さ方向の全長にわたって前記排気口の前記放熱体側端面との間隔が一定となるように形成され、前記第２のフィンは、前記ファン側の端部が、その長さ方向の少なくとも一方の端部において、前記排気口の前記放熱体側端面との間隔が広がるように形成されていることを特徴とする。
【発明の効果】
【００１７】
本発明の電子機器は、発熱部品からの熱が伝達される放熱体に形成されたフィンの内、配列方向の中央部分に位置する第２のフィンのファン側の端部が、その長さ方向の少なくとも一方の端部でファンの排気口の放熱体側端面との間隔が広がるように形成されている。このため、ファンからの冷却風に含まれる塵埃がフィンのファンに対向する側面に付着しにくく、熱効率が低下しない電子機器を得ることができる。
【図面の簡単な説明】
【００１８】
【図１】本実施形態にかかるノートパソコンの概略構成例を示す斜視図である。
【図２】本実施形態にかかるノートパソコンにおける放熱ユニットの主要な構成を示す分解斜視図である。
【図３】本実施形態にかかるノートパソコンの放熱ユニットの構成を示す水平方向の断面図である。
【図４】本実施形態にかかるノートパソコンの放熱ユニットの構成を示す垂直方向の断面図である。
【図５】本実施形態にかかるノートパソコンの放熱ユニットにおける、放熱体の構成を示す図である。図５（ａ）がファンに対向する面の側から見た放熱体の斜視図であり、図５（ｂ）が放熱体に配列されたフィンの主面の形状を示す図である。
【図６】本実施形態にかかるノートパソコンの放熱ユニットにおける、別の形状の放熱体の構成を示す図である。図６（ａ）がファンに対向する面の側から見た別の形状の放熱体の斜視図であり、図６（ｂ）が放熱体に配列されたフィンの主面の形状を示す図である。
【図７】本実施形態にかかるノートパソコンの放熱ユニットにおける、さらに別の放熱体の構成を示す図である。図７（ａ）がファンに対向する面の側から見たさらに別の放熱体の斜視図であり、図７（ｂ）が放熱体に配列されたフィンの主面の形状を示す図である。
【図８】本実施形態にかかるノートパソコンの放熱ユニットの、応用例の放熱体の構成を示す図である。図８（ａ）がファンに対向する面の側から見た応用例の放熱体の斜視図であり、図８（ｂ）が放熱体に配列されたフィンの主面の形状を示す図である。
【図９】従来の放熱ユニットの構成を説明する図である。
【発明を実施するための形態】
【００１９】
本発明の電子機器は、動作時に発熱する発熱部品を含む電子部品が収容された筐体と、互いに主面が対向するように所定の間隙を介して配列された複数のフィンを備えた、前記発熱部品からの発熱が伝達される放熱体と、前記放熱体の前記複数のフィンの間隙に排気口から冷却風を送風するファンとを備え、前記放熱体の前記複数のフィンは、配列方向の両端部に配置された第１のフィンと配列方向の中間部に配置された第２のフィンとを含み、前記第１のフィンは、前記ファン側の端部が、その長さ方向の全長にわたって前記排気口の前記放熱体側端面との間隔が一定となるように形成され、前記第２のフィンは、前記ファン側の端部が、その長さ方向の少なくとも一方の端部において、前記排気口の前記放熱体側端面との間隔が広がるように形成されている。
【００２０】
上記本発明の電子機器は、発熱部品の熱が伝達される放熱体のフィンが、配列方向の端部に位置する第１のフィンは、ファン側の端部が、その長さ方向の全長にわたってファンの排気口の放熱体側端面との間隔が一定となるように形成されているとともに、配列方向の中央部に位置する第２のフィンは、ファン側の端部が、その長さ方向の少なくとも一方の端部において、排気口の放熱体側端面との間隔が広がるように形成されている。このような構成とすることで、ファンからの冷却風をフィンが配列された放熱体の内部に確実に供給することができるとともに、フィンのファンに対向した側の側面にフィンの端部形状に沿った流れの風が生じて、ファンからの冷却風に含まれる塵埃が付着しにくくなる。このため、フィンのファンに対向する側面に付着した塵埃を除去する手段を用いなくても、長期間にわたって安定した放熱効果が発揮される放熱ユニットを備えた電子機器を得ることができる。
【００２１】
上記構成の電子機器において、前記放熱体の前記複数のフィンは、その主面が電子機器の使用状態における上下方向に沿って配置され、前記第２のフィンの前記ファン側の端部は、電子機器の使用状態における下側部分が前記排気口の前記放熱体側端面との間隔が広がるように形成されている。このようにすることで、第２のフィンのファン側の端部に下方向の風の流れが生じ、ファンからの冷却風に含まれる塵埃を放熱体の下方に排出することができる。
【００２２】
また、前記第２のフィンの前記ファン側の端部が、電子機器の使用状態における上端部から下端部にかけて、前記排気口の前記放熱体側端面との間隔が漸次広がる傾斜面により形成されていることが好ましい。このようにすることで、第２のフィンのファンに対向する側面全体において、塵埃の付着を効果的に防止することができる。
【００２３】
さらに、前記第２のフィンの前記ファン側の端部が、電子機器の使用状態における上下方向の中間部分から下端部にかけて、前記排気口の前記放熱体側端面との間隔が漸次広がる湾曲面により構成されていることがこのましい。このようにすることで、フィンの主面の表面積の低減を回避しつつ、フィンのファンに対向する側面に塵埃が付着することを防止できる。また、フィンの上側部分の面積を確保できるので、発熱部材からの熱を伝達するヒートパイプをフィンの主面内に配置することもできる。
【００２４】
さらにまた、前記第１のフィンが、配列方向の両端部に複数枚ずつ配置されていることが好ましい。このようにすることで、放熱体とファンとの接続をより確実に行うことができ、ファンからの冷却風が放熱体の外部に逃げてしまうことを効果的に回避することができる。
【００２５】
また、前記第２のフィンが、前記第１のフィンよりも電子機器の使用状態における上下方向の長さが短く、前記第２のフィンが配置されている部分の前記放熱体の下面側に、前記ファンからの冷却風が通過する空洞部が形成されていることが好ましい。このようにすることで、筐体に形成された放出口から放熱体内部の塵埃を吸い出すことが可能となる。
【００２６】
（発明の実施の形態）
以下、本発明の実施形態として、電子機器がノートパソコンである場合を例示しながら説明する。
【００２７】
図１は、本実施の形態にかかる電子機器としてのノートパソコン１である。
【００２８】
本実施形態のノートパソコン１は、内側面に液晶パネルなどの表示デバイス１２が配置された蓋体１０が、表面にキーボード２１やポインティングデバイス２２などの入力装置が配置された本体部２０に対して、ヒンジ機構１１によって回動可能に取り付けられている。
【００２９】
本体部２０の内部には、ノートパソコン１の動作電源である図示しない二次電池や、主記録デバイスである図示しないハードディスクドライブ（ＨＤＤ）その他の電気部品が配置されている。なお、本実施形態のノートパソコン１は、例えば無線ＬＡＮ通信のためのアンテナモジュールや、ブルーレイディスクやＤＶＤディスクに対応したディスクドライブ、ウェブカメラ素子、音声マイクやスピーカ、その他各種の入出力端子などを備えることができるが、これらの機能や形状は従来周知のノートパソコンと同様であるため、図示および詳細な説明は省略する。
【００３０】
図２は、本実施形態にかかるノートパソコン１の、本体部２０の内部構成を示す分解斜視図である。図２では、本体部２０の内部に配置された各種の電子部品の中でも、動作時に最も温度が高くなる代表的な発熱部品である中央演算素子（ＣＰＵ）２４と、ＣＰＵ２４の熱を本体部２０の外殻を構成する筐体２０ａの外部に放出する放熱ユニット３０の近傍のみを拡大して示している。
【００３１】
図２に示すように、本実施形態のノートパソコン１の本体部２０内部、表面に配置されたキーボード２１の下側部分には、ＣＰＵ２４が回路基板２３上に搭載されて配置されている。ＣＰＵ２４の上面には、ＣＰＵ２４の動作時の発熱を放熱ユニット３０に伝達するための受熱部２５が配置されている。受熱部２５は、バネ状の脚部を有する固着部材２６によって、熱源であるＣＰＵ２４に押しつけられるように固着されている。
【００３２】
受熱部２５には、受け取った熱を放熱ユニット３０の放熱体３５に伝達するための、例えば銅製のヒートパイプ２７が接続されている。ヒートパイプ２７内には、例えば熱伝導性の高い代替フロンなどの熱伝導媒体が封入されていて、受熱部２５に伝えられたＣＰＵ２４の熱を効率よく放熱体３５に伝達する。
【００３３】
本実施形態のノートパソコン１では、ＣＰＵ２４の熱を効果的に本体部２０の筐体２０ａ外部に放出させるための放熱ユニット３０として、ＣＰＵ２４からの熱が伝達される放熱体３５と、放熱体３５に隣接して配置されたファン３１とを有している。ファン３１がファンケース３２の上面に形成された吸入口３２ａから吸入して送風する冷却風が放熱体３５に導入され、放熱体３５に設けられた複数の板状体であるフィン３６の間隙を通って筐体２０ａの外部に放出されることで、放熱体３５からの放熱効果を高めている。放熱体３５に当接する部分のファンケース３２の表面には、筐体２０ａ内部の空間を、放熱体３５の周囲部分とファン３１の周囲部分とに仕切る仕切り部材３７が、ファンケース３２の周囲を取り巻くように配置されている。
【００３４】
図３および図４は、本実施形態のノートパソコンにおける放熱ユニット３０の構成を示す図である。
【００３５】
図３は、放熱ユニット３０を構成するファン３１と放熱体３５のそれぞれの詳細な構造を示すために、各部材を、ノートパソコン１の本体部２０におけるキーボード２１が配置された主面に平行な水平面によって、その高さ方向の中央部分で切断した状態の水平方向の断面図を示している。また、図４は、放熱ユニット３０の構成を、ファン３１の回転軸３４の部分における断面形状によって示す垂直方向の断面図である。
【００３６】
図３は、図４におけるＢ−Ｂ’矢視線部分の形状を示している。図４は、図３におけるＡ−Ａ’矢視線部分の形状を示している。ノートパソコン１は、キーボード２１が水平方向に配置されるように本体部２０を載置して使用することが通例であるため、以下本明細書では、この通例の使用状態における上下方向を適宜用いて各部材の説明を行うこととする。
【００３７】
図３および図４に示すように、ファン３１は、ファンケース３２の内部に収容された羽根３３が回転軸３４を軸心として回転することで、ファンケース３２の上面に形成された図２に示す吸入口３２ａから周囲の空気を取り込み、放熱体３５側の排気口３２ｂから冷却風として吹き出す。なお、図３および図４では、本実施形態のファン３１として、羽根３３が多数の前向き羽根で構成されたシロッコファンを例示して示したが、ファン３１の全体形状や吸入口３２ａの位置や個数並びに形状、回転軸３４の周りを回る羽根３３の形状などは例示に過ぎず、本実施形態の放熱ユニット３０に使用されるファン３１としては、周囲の空気を吸入口から吸入して排気口から吹き出すことができるものであれば、従来用いられてきた各種の形態の冷却ファン（放熱ファン）を使用することができる。
【００３８】
本実施形態の放熱ユニット３０では、ファン３１のファンケース３２に設けられた排気口３２ｂに、ファン３１側の側面３５ａが当接されて放熱体３５が配置されている。すなわち、ファン３１の排気口３２ｂの外形を形成する枠体の端部が構成する面として捉えられる、ファン３１の排気口３２ｂの放熱体３５側の端面が、放熱体３５のファン３１側の側面３５ａと当接している。
【００３９】
放熱体３５は、熱伝導性が高い例えば銅などの金属からなる、複数の板状体であるフィン３６を備えている。本実施形態の放熱ユニット３０の放熱体３５では、フィン３６は、その最も広い面積を有する面である主面が、電子機器であるノートパソコン１の使用状態における上下方向に沿って配置されている。より具体的には、フィン３６は、ノートパソコン１の本体部２０のキーボード２１の配置面に対して直交する方向である垂直方向、すなわち、図４における上下方向でもある本明細書における上下方向と、ファン３１からの冷却風が通過する方向、すなわち、図３および図４における左右方向とに延在するように、かつ、それぞれのフィン３６が所定の間隙を介して主面同士が互いに対向するようにして配列されている。
【００４０】
また、放熱体３５の上部には発熱部品であるＣＰＵ２４からの熱を伝えるヒートパイプ２７が配置されている。
【００４１】
本実施形態の放熱ユニット３０における放熱体３５では、複数配列されたフィン３６として、配列方向の両端部に配置された第１のフィン３６Ａと配列方向の中間部に配置された第２のフィン３６Ｂとの２種類が用いられている。
【００４２】
図３および図４に示すように、放熱体３５の両端部から５枚ずつ配置された第１のフィン３６Ａは、そのファン３１側の端部が、端部が形成する辺または面の長さ方向、すなわち上下方向の全長にわたって、ファン３１の排気口３２ｂの放熱体側端面との間隔が０であるように形成されている。言い換えると、第１のフィン３６Ａのファン３１側の端部が、放熱体３５のファン３１側の側面３５ａを構成し、ファン３１の排気口３２ｂの放熱体側端面と当接している。また、配列方向の中間部に配置された第２のフィン３６Ｂは、図４に示すようにファン３１側の端部が、その長さ方向の一方の端部である下側の端部において、ファン３１の排気口３２ｂの放熱体側端面との距離が広がるように形成されている。言い換えると、第２のフィン３６Ｂのファン３１側の端部とファン３１の排気口３２ｂの放熱体側端面との間隔が、第２のフィン３６Ｂの上端から下端に行くにしたがって広くなっていて、第２のフィン３６Ｂのファン３１に対向する側面が、フィン３６Ｂの上端から下端まで連続して形成された傾斜面となっている。すなわち、第２のフィン３６Ｂのファン３１側の端部の上端部はファン３１の排気口３２ｂの上部に当接しているが、下端部側はファン３１の排気口３２ｂとの間に間隙３５ｃが形成されている。放熱ユニット３０の高さ方向における中央部分の水平方向断面図である図３では、ファン３１の排気口３２ｂとフィン３６Ｂのファン３１側の端部との間の間隙３５ｃがフィン３６の配列方向に長手方向を有して配置された開口部として現れている。
【００４３】
放熱体３５の大きさ、特に、ファン３１に対向する側面３５ａの幅と高さとは、ファン３１の排気口３２ｂの外形の幅と高さと同じになっている。また、放熱体３５のフィン３６の間隙を通過した冷却風は、放熱体３５の筐体２０ａ側の側面３５ｂの外形形状に対応させてスリットや貫通孔として筐体２０ａに形成された放出口２８から、筐体２０ａの外部に放出される。
【００４４】
本実施形態のノートパソコン１の放熱ユニット３０では、図４に示すように、ファン３１の放熱体３５に隣接する部分のファンケース３２の表面を取り囲むように、樹脂製のベルト状、または、微細な空乏が形成されたスポンジ状の仕切り部材３７が配置されている。この仕切り部材３７によって、筐体２０ａの内部を、放熱体３５が配置された側の部分とファン３１が配置された側の部分とに仕切ることができ、ファン３１と放熱体３５の間隙３５ｃから下側の筐体２０ａ内に落下した塵埃や、筐体２０ａの放出口２８にぶつかって筐体２０ａの外部に放出されずに筐体２０ａ内に残った塵埃が、ファン３１の近傍に移動して吸気口３２ａから再び吸い込まれ、冷却風に乗って放熱体３５内に供給されてしまうことを効果的に防止することができる。
【００４５】
ここで、図５を用いて、本実施形態の放熱ユニット３０に用いられている放熱体３５の構成を詳しく説明する。
【００４６】
図５（ａ）は、本実施形態の放熱ユニット３０の放熱体３５の斜視図であり、放熱体３５をファン３１の側から見た状態を示している。また、図５（ｂ）は、放熱体３５に使用されている第１のフィン３６Ａと第２のフィン３６Ｂの主面の形状を示している。なお、図５（ｂ）においては、第１のフィン３６Ａと第２のフィン３６Ｂとの形状の相違と相互の位置関係がわかるように、放熱体３５をフィン３６の配列方向の延長方向から見た状態で、二点鎖線で示した第１のフィン３６Ａに、実線で示した第２のフィン３６Ｂを重ねて示している。
【００４７】
図５（ａ）に示すように、放熱体３５は、所定の間隙を介してその主面が互いに対向するように配列された複数のフィン３６を有している。上述したように、本実施形態において放熱体３５のフィン３６は、その主面がノートパソコン１の使用状態における上下方向に沿って配置されている。また、複数のフィン３６の上端部を接続する上側部材３５ｅと、複数のフィン３６の下端部を接続する下側部材３５ｆとが配置されている。
【００４８】
フィン３６の配列方向の端部、すなわち、放熱体３５のファン３１に対向する側面３５ａにおける左右方向の端部に、それぞれ５枚ずつ配置された第１のフィン３６Ａは、その主面形状が、放熱体３５のフィン３６の配列方向における側面３５ｄの形状から上側部材３５ｅと下側部材３５ｆの部分を除いた形状と同じ矩形状となっている。
【００４９】
このため、フィン３６の配列方向の最も外側の端部に位置する一対の第１のフィン３６Ａのファン３１側の端部Ａａと、上側部材３５ｅおよび下側部材３５ｆとが、放熱体３５のファン３１に対向する側の側面３５ａの外形を構成することになる。また、フィン３６の配列方向の端部にそれぞれ５枚ずつ配置された第１のフィン３６Ａのファン３１側の端部３６Ａａは、放熱体３５のファン３１に対向する側面３５ａを形成する。
【００５０】
放熱体３５のファン３１側の側面３５ａの外形の形状は、ファン３１の排気口３２ｂの開口部の形状と同じ形状となっている。このようにすることで、ファン３１からの冷却風全てを放熱体３５の内部に導入することができ、放熱効果を高く維持することができる。
【００５１】
一方、フィン３６の配列方向の中央部、すなわち、放熱体３５のファン側側面３５ａにおける左右方向の中央部に配置された第２のフィン３６Ｂは、ファン３１側の端部３６Ｂａが上端から下端まで連続して形成された下側に向かう傾斜面を形成している。このため、放熱体３５のファン３１に対向する側面３５ａの底部には、図５に示すように第２のフィン３６Ｂが配列されている部分の幅である、フィン３６の配列方向の長さがｘの間隙３５ｃが形成されている。なお、放熱体３５の下側部材３５ｆは、配置されているフィン３６の下端部の大きさに合わせてフィン３６を接続しているため、間隙３５ｃ部分はファン３１側が凹んで形成されている。
【００５２】
図５（ｂ）に示すように、本実施形態の放熱体３５に配置されている第１のフィン３６Ａの主面は、放熱体３５のフィン３６の配列方向の側面３５ｄから、上側部材３５ｅおよび下側部材３５ｆを除いた部分の形状と同じ矩形状となっている。すなわち、第１のフィン３６Ａのファン３１側の端部３６Ａａは、垂直方向にのびる直線状となる。このようにすることで、第１のフィン３６Ａのファン３１側の端部３６Ａａは、図５（ｂ）では図示しないファン３１の排気口３２ｂの放熱体側端面に当接する。なお、本実施形態の放熱ユニット３０におけるファン３１の排気口３２ｂは、各辺が所定の厚みを有する横長矩形状の枠体（横長のロの字状体）となっているため、配列方向の最も外側に位置した第１のフィン３６Ａのファン３１側の端部３６Ａａのみが、端部の長さ方向の全長にわたって、ファン３１の排気口３２ｂの枠体の側方部分と当接する。しかし、第１のフィン３６Ａは、いずれもファン３１側の端部が放熱体３５のファン側側面３５ａを構成しているため、配列方向の最も外側に位置したフィン３６Ａ以外の第１のフィン３６Ａも、ファン３１側の端部３６Ａａの上端部と下端部とで排気口３２ｂの枠体に当接する。このようにすることで、ファン３１と放熱体３５とを固着する際に、安定した状態でより強固に固着することができる。
【００５３】
放熱体３５の第２のフィン３６Ｂの主面は、図５（ｂ）に示したように、ファン３１側の端部３６Ｂａの下側部分が、ファン３２の排気口３２ｂの放熱体側端面との間隔が広がるような、上端から下端まで連続した直線として形成されている。言い換えると、第２のフィン３６Ｂのファン３１に対向する側面は、第２のフィン３６Ｂの上端から下端まで連続して形成された傾斜面となっている。また、図５（ｂ）に示すように、第１のフィン３６Ａと第２のフィン３６Ｂとの主面同士の比較によれば、第２のフィン３６Ｂの主面は、第１のフィン３６Ａの主面に対し、ファン３１側の端部３６Ｂａが、第２のフィン３６Ｂにおける図５（ｂ）中の上辺３６Ｂｂの右側の角部から、下辺３６Ｂｃの略中央部分にわたって斜めに切り欠かれたものとなっている。別の言い方をすると、第２のフィン３６Ｂの主面は、ファン３１側に斜辺（３６Ｂａ）を有する上底（３６Ｂｂ）が下底（３６Ｂｃ）よりも大きな台形状である、ということができる。
【００５４】
図５（ｂ）に示すように、第２のフィン３６Ｂの主面において、第１のフィン３６Ａの主面から切り欠かれた部分の、下辺３６Ｂｃにおける長さｙが、放熱体３５のファン３１側の底部に設けられた間隙３５ｃの奥行きを構成する。言い換えると、放熱体３５に形成された間隙３５ｃは、放熱体３５の底面部分において、幅がｘ、奥行きがｙであるということができる。
【００５５】
このように、フィン３６の配列方向の中間部に配置された、第２のフィン３６Ｂのファン３１に対向する側の辺を斜め下方に向けて傾斜させることで、放熱体３５のファン３１側の側面３５ａを斜め下側に向かう傾斜面とすることができる。そして、側面３５ａを傾斜面とすることによって放熱体３５のファン３１側の底部での幅がｘ、奥行きがｙの間隙３５ｃが形成され、この間隙３５ｃは、放熱体３５の下端側から上端側に行くにしたがって、その大きさが小さくなっている。本実施形態の放熱ユニット３０の放熱体３５は、第２のフィン３６Ｂのファン３１側の端部３６Ｂａが傾斜面となっていることで、ファン３１からの冷却風が側面に対して斜めにぶつかることになるので、冷却風に含まれて放熱体３５に吹き付けられた塵埃が第２のフィン３６Ｂのファン３１に対向する側面に付着しにくい。また、ファン３１からの冷却風が第２のフィン３６Ｂのファン３１に対向する側の側面に当たったときに、第２のフィン３６Ｂの側面に沿って下方向に向かう冷却風の流れが生じるため、冷却風に塵埃が含まれていても放熱体３５の間隙３５ｃから下方に落下させることができる。
【００５６】
この結果、本実施形態の放熱ユニット３０は、図８に示した従来の放熱ユニットのように、フィンのファン側側面に付着した塵埃を除去する掃除部材を設けていなくても、放熱体の形状、特にフィンの形状を工夫することにより、フィンのファンに対向する側の側面に塵埃が堆積することを防止でき、フィンに堆積した塵埃によって冷却風の流れが妨げられて、冷却効果が低減してしまうことを効果的に防止することができる。
【００５７】
次に、本実施形態の放熱ユニット３０に用いられる放熱体の別の形状の例について、図面を用いて説明する。
【００５８】
図６（ａ）は、本実施形態の放熱ユニット３０に用いられる別の形状の放熱体４５の斜視図であり、放熱体４５をファン３１の側から見た状態を示している。また、図６（ｂ）は、放熱体４５に使用されている第１のフィン４６Ａと第２のフィン４６Ｂの主面の形状を示している。なお、図５（ｂ）と同様に、図６（ｂ）においても、第１のフィン４６Ａと第２のフィン４６Ｂとの形状の相違と互いの配置関係が明確になるように、二点鎖線で示した第１のフィン４６Ａに、実線で示した第２のフィン４６Ｂを重ねて示している。
【００５９】
図６（ａ）に示すように、別の形状の放熱体４５も、所定の間隙を介してその主面が互いに対向するように配列された複数のフィン４６（４６Ａ、４６Ｂ）を有している。また、複数のフィン４６の上端部を接続する上側部材４５ｅと、複数のフィン４６の下端部を接続する下側部材４５ｆとが配置されている。
【００６０】
図６（ａ）に示す、別の形状の放熱体４５において、フィン４６の配列方向の両端部、すなわち、放熱体４５のファン３１に対向する側面４５ａにおける左右方向の端部に、それぞれ５枚ずつ配置された第１のフィン４６Ａは、図５（ａ）に示した放熱体３５の第１のフィン３５Ａと同じく、その主面形状が放熱体４５のフィン４６の配列方向の側面４５ｄの形状から上側部材４５ｅと下側部材４５ｆとを除いた形状と同じ矩形状となっている。
【００６１】
図６（ａ）に示す、異なる形状の放熱体４５では、フィン４６の配列方向の中間部、放熱体４５のファン３１に対向する側面４５ａにおける左右方向の中央部分に配置された第２のフィン４６Ｂの形状が、図５（ａ）に示した放熱体３５における第２のフィン３６Ｂの形状と異なっている。
【００６２】
具体的には、図６（ｂ）に示すように、本実施形態の放熱体４５に配置されている第２のフィン４６Ｂの主面は、ファン３１側の端部４６Ｂａが、上下方向の中間部から下端部にかけて、ファン３２の排気口３２ｂの放熱体側端面との間隔が広がるような曲線として形成されている。言い換えると、第２のフィン４６Ｂのファン３１側の端部４６Ｂａの形状が、第２のフィン４６Ｂの上端部から上下方向中間部までの直線部分と、上下方向中間部から下端までの曲線によって構成されている。すなわち、第１のフィン４６Ａの主面形状と比較すると、第２のフィン４６Ｂは、ファン３１側の端部４６Ｂａに、その上下方向中間部から下端までの曲線による切り欠きが設けられているということができ、このファン３１側の端部４６Ｂａの曲線状の切り欠き部分が、第２のフィン４６Ｂのファン３１に対向する側面の湾曲面を構成している。
【００６３】
このように、配列方向の中間部に配置された第２のフィン４６Ｂのファン３１側の端部４６Ｂａに、上下方向中間部から開始する曲線状の切り欠きを有することで、別の形状の放熱体４６のファン３１に対向する側面４５ａに斜め下側に向かう湾曲面を形成することができる。そして、第２のフィン４６Ｂが配置されている部分の、放熱体４５のファン３１に対向する側面４５ａを下側に向かう湾曲面とすることによって、放熱体４５とファン３１の排気口３２ｂとの間に間隙４５ｃを形成することができ、ファン３１の冷却風に含まれて放熱体４５に吹き付けられた塵埃を、フィン４６Ｂの側面に沿って下方向に向かう冷却風の流れによって、間隙４５ｃからフィン４５の下方に落下させることができる。
【００６４】
この結果、別の構成例である放熱体４５においても、上記した放熱体３５と同様に、フィンのファンに対向する側面に付着した塵埃を除去する掃除部材などを設けることなく、放熱体の、特にフィンの形状を工夫することにより、フィンのファンに対向する側の側面に塵埃が堆積することを防止でき、フィンに堆積した塵埃によって冷却風の流れが妨げられて、冷却効果が低減してしまうことを効果的に防止することができる。
【００６５】
なお、図６（ａ）に示した別の形状の放熱体４５においても、第１のフィン４６Ａの主面におけるファン３１側の端部４６ａは、ファン３１の排気口３２ｂの放熱体側端面との間隔が一定となるように直線状となっているため、第１のフィン４６Ａのファン３１に対向する側面は、ファン３１の排気口３２ｂの放熱体側端面に当接する。この結果、ファン３１と放熱体４５とを強固に固着することができ、排気口３２ｂから放出されるファン３１からの冷却風を全て放熱体４５の内部に導くことができる。
【００６６】
また、図６（ａ）に示した別の形状の放熱体４５の場合には、図５（ａ）に示した放熱体３５と比較して、第２の放熱フィン４６Ｂの主面の面積の低減を少なくすることができる。このため、図５（ａ）に示した放熱体３５と比較して、放熱体４５からの放熱効果をより高く確保することができる。さらに、図６（ａ）に示した別の形状の放熱体４５の場合には、第２のフィン４６Ｂの上側半分は、第１のフィン４６Ａと同様に放熱体４６のフィン４６の配列方向の側面４５ｄの形状をそのまま保っている。このため、例えば、発熱部材からの発熱を伝達するためのヒートパイプを、フィン４６の上側半分の部分に配置して、それぞれのフィン４６に直接接続することができる。このようにすることで、ヒートパイプの周囲全面にフィン４６が位置することとなるため、ヒートパイプからフィン４６への熱の伝達をより効率的に行うことができる。
【００６７】
次に、本実施形態の放熱ユニット３０に用いられる放熱体のさらに別の形状の例を、図面を用いて説明する。
【００６８】
図７（ａ）は、本実施形態の放熱ユニット３０に用いられるさらに別の形状の放熱体５５の斜視図であり、放熱体５５をファン３１の側から見た状態を示している。また、図７（ｂ）は、放熱体５５に使用されている第１のフィン５６Ａと第２のフィン５６Ｂの主面の形状を示している。なお、図５（ｂ）、図６（ｂ）と同様に、図７（ｂ）においても、二点鎖線で示した第１のフィン５６Ａに、実線で示した第２のフィン５６Ｂを重ねて示している。
【００６９】
図７（ａ）に示すように、さらに別の形状の放熱体５５も、所定の間隙を介してその主面が互いに対向するように配列された複数のフィン５６（５６Ａ、５６Ｂ）を有している。また、複数のフィン５６の上端部を接続する上側部材５５ｆが配置されている。なお、後述するように、図７（ａ）に示すさらに別の形状の放熱体５５では、フィン５６の上下方向の長さが異なるため、第１のフィン５６Ａの下端部を接続する下側部材５５ｇと、第２  のフィン５６Ｂの下端部を接続する下側部材５５ｈとが配置されている。
【００７０】
図７（ａ）に示す、さらに別の形状の放熱体５５において、フィン５６の配列方向の端部、すなわち、放熱体５５のファン３１に対向する側の側面５５ａにおける左右方向の端部に、それぞれ５枚ずつ配置された第１のフィン５６Ａは、図５（ａ）に示した放熱体３５の第１のフィン３６Ａ、および、図６（ａ）に示した別の形状の放熱体４５の第１のフィン４６Ａと同じく、その主面形状が放熱体５５のフィン５６の配列方向延長上の側面５５ｄの形状から、上側部材５５ｆと下側部材５５ｇとを除いた形状と同じ矩形状となっている。
【００７１】
図７（ａ）に示す、さらに別の形状の放熱体５５では、フィン５６の配列方向の中間部、すなわち、放熱体５５のファン３１に対向する側面５５ａにおける左右方向の中央部分に配置された第２のフィン５６Ｂの形状が、図５（ａ）に示した放熱体３５におけるフィン３６Ｂの形状、図６（ａ）に示した別の形状の放熱体４５における第２のフィン４６Ｂの形状と異なっている。
【００７２】
図７（ｂ）に示すように、さらに別の形状の放熱体５５に配置されている第２のフィン５６Ｂは、第１のフィン５６Ａと比較して上下方向（垂直方向）の長さが短く、下端の底辺５６Ｂｃが第１のフィン５６Ａの底辺５６Ａｂよりも上方に位置している。そして、第２のフィン５６Ｂのファン３１側の端部５６Ｂａは、上辺５６Ｂｂの端部から、下端である底辺５６Ｂｃに対して形成された直線状の切り欠きによって形成されている。
【００７３】
図７（ｂ）に示すように、さらに別の形状の放熱体５５では、第２のフィン５６Ｂの上下方向の長さが短いために、第２のフィン５６Ｂが配置されている部分の底面側に、ファン３１からの冷却風が通過可能な空洞部５５ｅが形成されている。このように、放熱体５５の底面側に、冷却風の進行方向に沿った空洞部５５ｅが形成されていることにより、放熱ユニット３０が筐体２０ａの内部に配置されている状態において、掃除機などを用いることによって、筐体２０ａの放出口２８から放熱体５５内部に残留する塵埃を吸い出すことが可能となる。また、放熱体５５は、第２のフィン５６Ｂのファン３１側の端部５６ｂａが形成するファン３１に対向する側面が、下側に向いた傾斜面となっているため、放熱体５５の下側の筐体２０ａ内に塵埃が落下するが、放熱体５５の底面側に空洞部５５ｄが形成されていることで、筐体２０ａ内に落下した塵埃を、筐体２０ａの放出口２８から効率よく吸い出すことが可能となる。
【００７４】
以上のように、図７（ａ）に示した、さらに別の形状の放熱体５５では、第２のフィン５６Ｂの上下方向の長さが第１のフィン５６Ａの上下方向の長さよりも短く、放熱体５５の底面側に空洞部５５ｄが形成されている。また、第２のフィン５６Ｂの主面において、ファン３１側の端部５６Ｂａが上端部から下辺５６Ｂｃに到達する直線状の切り欠きによって形成されている、さらに別の形状の放熱体５５の第２のフィン５６Ｂが配置されている部分において、ファン３１に対向する側面５５ａを斜め下側に向かう傾斜面とすることができ、ファン３１からの冷却風に含まれている塵埃を放熱体５５の下側に落下させることができる。
【００７５】
この結果、上記した実施形態の放熱体３５や、別の形状の放熱体４５と同様に、フィンのファンに対向する側面に付着した塵埃を除去する掃除部材などを設けることなく、放熱体の、特にフィンの形状を工夫することにより、フィンのファンに対向する側の側面に塵埃が堆積することを防止でき、フィンに堆積した塵埃によって冷却風の流れが妨げられて、冷却効果が低減してしまうことを効果的に防止することができる。
【００７６】
また、放熱体５５内に残留する塵埃を、掃除機などによって筐体２０ａの放出口２８から吸い出すことができるため、放熱体５５のファン３１に対向する面５５ａやフィン５６の間隙に塵埃が付着した場合でもこれを取り除いて、放熱効果を回復して高い放熱効果を維持することができる。
【００７７】
以上、本実施形態の放熱ユニットについて、放熱体の異なる形状例を含めて、図示しながら説明してきたが、上記説明は、本実施形態の放熱ユニットについての例示に過ぎず、本実施形態の放熱ユニットとしては、図示説明した以外のさまざまな形態を取ることができる。
【００７８】
例えば、放熱体として、その側面が矩形状で上面にヒートパイプが接続された形態のものを例示して説明したが、放熱体の側面形状は矩形状に限らず、全体として略三角形状や五角形、または６つ以上の辺を有する多角形形状のものを使用することができる。また、放熱体が配置される筐体内部のスペースの形状に合わせて、放熱体の側面が全体として矩形状である場合であっても、４つの角部の少なくとも一部が、面取り状に斜辺や曲線で結ばれている形状とすることができる。さらに、ヒートパイプの配置位置が、フィン主面を貫通する位置に配置される場合において、ヒートパイプの配置位置を湾曲した窪み形状とすることもできる。そして、これらさまざまな形状の側面を有する放熱体において、フィンの配列方向の両端部に配置された第１のフィンの、ファン側の端部をファンの排気口の放熱体側端面との間隔を一定とするとともに、配列方向の中間部に配置された第２のフィンのファン側の端部とファンの排気口の放熱体側端面との間隔が、下側部分が広がるような形状とすることで、ファンからの冷却風を効率よく放熱体内に供給することができるとともに、放熱体を構成するフィンのファンに対向する側の側面に塵埃が付着することを防止することができる。
【００７９】
また上記実施形態では、フィンの配列方向の両端部に、第１のフィンがそれぞれ５枚ずつ配置された例を示したが、第１のフィンは、少なくともフィンの配列方向の最も外側の端部に一枚ずつ配置されていればよく、適宜２枚以上第１のフィンを配置することができる。また、フィンの配列方向の両端部において、第１のフィンを同じ枚数ずつ配置する必要もなく、一方の端部と他方の端部とで、それぞれ配置される第１のフィンの枚数が異なっていてもかまわない。
【００８０】
さらに上記各実施形態において、第２のフィンは、配列方向の両端部を除く中間部分に連続して配置された例を示したが、配列方向の端部に第１のフィンが配置され、配列方向の中間部に第２のフィンが配置されていれば、第２のフィンは必ずしも連続して配置されていなくてもかまわない。例えば、中間部において、第１のフィンと第２のフィンとが複数枚もしくは１枚ずつ交互に配置されていてもよいし、第２のフィンの間に１枚から数枚の第１のフィンが間欠的に配置されていてもよい。さらには、第２のフィンが配列されている部分に、第１のフィンおよび第２のフィンとはその主面形状が異なる、第３のフィンが配置されていてもよい。
【００８１】
また、例えば第２のフィンとして、別の構成例の放熱体４６として例示したファン側端部の上下方向中間部から下側が湾曲して切り欠かれた形状を用いる場合、フィンの配列方向においてファン側の端部の切り欠きの開始地点を連続的に変化させることができる。このようにすることで、フィンのファンに対向する側の側面にぶつかった冷却風の流れがさらに複雑となり、フィンへの塵埃の付着をより効果的に防止することができる場合がある。
【００８２】
上記実施形態では、第２のフィンのファン側の端部を、上端から下端まで連続に形成された傾斜面により構成されたものを図５（ｂ）に、上下方向中間部分から下端まで湾曲面により構成されたものを図６（ｂ）に、また、上端から上下方向の長さが短く形成されている下端である底辺までに形成された傾斜面による構成を図７（ｂ）に示した。しかし、第２のフィンの形状についても上記例示した形状には限られず、第１のフィンの主面形状に対して、ファン側の端部を構成する辺の一部が切り欠かれた構成を第２のフィンの主面形状として、第２のフィンのファン側の端部とファンの排気口の放熱体側端面との間に、下側部分が上側部分よりも大きな間隔を有する構成を実現することができる。
【００８３】
例えば、第２のフィンの主面において、上辺のファン側の端部から、下辺に向かって曲線で切り欠きを構成してもよいし、ファン側の端部の上下方向の中間点から、下辺に向かって直線状の切り欠きを設けることもできる。また、直線と曲線とを組み合わせた切り欠き形状を用いることができる。さらに、ファンの排気口の放熱体側端面とフィンのファンに対向する側面との間の間隙は、下側から上側に向かって連続的に小さくなるように変化する必要はなく、全体として下側の間隔が上側の間隔よりも大きくなる構成であればよい。例えば、下辺と上辺との間の中間部分で、第２のフィンのファン側の端部とファンの排気口の放熱体側端面との間隔が変化しない部分が形成されているような、ファン側の端部が段部を構成している主面形状とすることもできる。
【００８４】
さらには、第２のフィンの主面形状が、第１のフィンの主面形状を元にしてそのファン側かつ下辺側に切り欠きが構成された形状である必要はなく、第１のフィンのファン側端部がファンの排気口の放熱体側端面に当接していて、第２のフィンのファン側端部とファンの排気口の放熱体側端面との間に、下側部分で大きく上側部分で小さな間隙が形成されていればよい。
【００８５】
また、第２のフィンのファン側の端部とファンの排気口の放熱体側端面との間隔が、第２のフィンの下端部側で広がっているものについて説明してきたが、本実施形態の放熱ユニットに用いられる第２のフィンの形状はこれに限られない。例えば、第２のフィンの主面形状を、第２のフィンの上端部において、ファン側の端部と排気口の放熱体側端面との間隔が広がるように形成することもできる。
【００８６】
さらに、例えば図８（ａ）に例示する応用例の放熱体６５のように、第２のフィン６６Ｂのファン側の端部が、図８に６６Ｂｃおよび６６Ｂｄとして示すような傾斜面を形成して、上端部と下端部との両方の端部においてファンの排気口との間隔が広がるように形成することができる。なお、図８は、図５、図６、図７と同じく、図８（ａ）が応用例の放熱体６５をファン側から見た斜視図であり、図８（ｂ）が第１のフィン６６Ａと第２のフィン６６Ｂとの形状を比較することができるように、重ねて示したものである。
【００８７】
応用例の放熱体６５において、第１のフィン６６Ａは、図５、図６、図７に示した放熱体のそれぞれの第１のフィンと同じ形状とすることで、ファンの排気口と放熱体６５とを確実に固着することができる。また、第２のフィン６６Ｂのファン側端部の上端部と下端部とがファンの排気口の放熱体側端面との間に間隔を形成しているため、放熱体６５の上側部材６５ａと下側部材６５ｂとは、その中央部分が狭く形成されている。
【００８８】
応用例の放熱体６５のように、第２のフィン６６Ｂの上端部と下端部とに、ファンの開口部の放熱体側端面との間に間隔を形成することで、第２のフィン６６Ｂのファン側の端部の傾斜面６６Ｂｃおよび傾斜面６６Ｂｄに、ファンからの冷却風に含まれる塵埃が付着しにくくすることができる。なお、図８（ｂ）に示すように、応用例の放熱体の第２のフィン６６Ｂは、第１のフィン６６Ａのファン側の端部６６Ａａが、上下方向の中間部の一点６６Ｂｅから上辺６６Ｂａに向かう斜めの切り欠きと、上下方向の中間部の一点６６Ｂｅから下辺６６Ｂｂに向かう斜めの切り欠きとによって、中間部の一点６６Ｂｅに頂点を有する五角形の形状に形成されている。しかし、第２のフィン６６Ｂのファン側の端部の形状は、上下方向の中間部の一点６６Ｂｅから始まる切り欠きによって形成されている必要はなく、上下方向の中間部に、第１のフィン６６Ａのファン側の端部６６Ａａに重なるような直線部分を有して、この直線部分の上下方向の両端から、上辺６６Ｂａと下辺６６Ｂｂに向かって切り欠きが形成された全体として六角形状とすることもできる。また、直線状ではなく、曲線状に切り欠いた形状とすることもできる。
【００８９】
図８に示した応用例や、第２のフィンの上側部分に切り欠きを設けた形状とすることにより、フィンのファン側の端部が、フィンの上側に向けてファン側端部とファンの排気口の放熱体側端面との間隔が広がるように形成されて、フィンのファンに対向する側面において放熱体の上側に向かう気流が生じるため、塵埃を吹き飛ばす効果が生じて、フィンのファンに対向する側面に塵埃が付着することを防止することができる。
【００９０】
また、さらに別の形態の放熱体として、フィンの主面が電子機器の使用状態における水平方向に沿って配置された放熱体を用いることもできる。この場合においても、フィンの配列方向、すなわち電子機器の使用状態における上下方向の両端部に第１のフィンが配置され、上下方向の中間部に第２のフィンが配置されることになる。そして、第１のフィンのファン側の端部が、その長さ方向の全長にわたってファンの排気口の放熱体側端面との間隔が一定となるように形成し、第２のフィンのファン側の端部が、その長さ方向の少なくとも一方の端部において、ファンの排気口の放熱体側端面との距離が広がるように形成することで、フィンのファン側の側面に塵埃が付着することを防止する効果を得ることができる。
【００９１】
また、上記説明においては、ファンの排気口の放熱体側の端面と放熱体のファン側側面とが当接する場合について説明してきたが、ファンとフィンとの間に所定の間隙が形成されていてもよい。この場合には、第１のフィンのファン側の端部は、その長さ方向の全長にわたって、文字通りファンの排気口の放熱体側端面との間隔が一定となるように形成されることになる。すなわち、上述してきたファンと放熱体とが当接する場合は、第１のフィンのファン側の端部とファンの排気口の放熱体側端面との間隔が、大きさ０で一定の場合であるということができる。なお、ファンと放熱体の間に間隙が形成される場合には、ファンの排気口と放熱体のファン側の側面との間の間隙の周囲を覆う接続部材を配することで、ファンからの冷却風を無駄なく放熱体に導入することができる。
【００９２】
また、上記説明においては、ファンの排気口の放熱体側端面が電子機器の使用状態における上下方向に形成されたものを例示していたが、ファンの排気口の放熱体側端面は、電子機器の使用状態における上下方向に対して所定の角度を持った傾斜面とすることができる。この場合には、このファンの排気口の放熱体側端面の傾斜に対応させて、放熱体のファン側側面を傾斜させて、ファンの排気口の放熱体側端面と放熱体のファン側端面とが重なり合うようにすることが、ファンからの冷却風を効率よく用いるという観点から好ましい。さらに、ファンの排気口の放熱体側端面は、平面ではなく、少なくとも部分的に湾曲した湾曲面とすることができ、この場合には、放熱体のファン側の側面をこの湾曲面とちょうど勘合するような形状とすることができる。
【００９３】
さらに、上記説明では、放熱体に、複数のフィンの上端部を接続する上側部材と、下端部を接続する下側部材とを用いる例を示したが、本実施形態の放熱ユニットの放熱体において、上側部材と下側部材とは必須のものではない。また、ファンの排気口の外形形状と、放熱体のファン側の側面形状とは、必ずしも一致した形状とする必要はない。
【００９４】
さらに、本実施形態の説明において、放熱体のフィンの配列間隔が、いずれの部分でも均等なものを図示したが、本実施形態の放熱ユニットに用いられる放熱体において、隣り合うフィン同士の間隙の大きさは、均一なものに限らない。
【００９５】
以上のように、本実施形態のノートパソコンは、放熱ユニットのファンに隣接して配置された放熱体が、所定の間隙を介してその主面が互いに対向するように配列されたフィンを備え、配列方向の端部に位置する第１のフィンのファン側の端部が、その長さ方向の全長にわたってファンの排気口の放熱体側端面との間隔が一定となるように形成されているとともに、配列方向の中間部に配置された第２のフィンのファン側の端部が、その長さ方向の少なくとも一方の端部において、ファンの排気口の放熱体側端面との間隔が広がるように形成されている。このため、ファンの冷却風を無駄なく放熱体内に供給されるようにすることができるとともに、フィンのファンに対向する側面に、冷却風に含まれる塵埃が付着することを防止することができ、高い放熱効率を長期間にわたって確保することができるので、ＣＰＵの能力向上などに起因する発熱部品からの発熱量の増大にも十分に対応することができる。
【００９６】
なお、上記本実施の形態にかかる電子機器として、本体部に対して内側面に表示デバイスが配置された蓋体が回動可能に固着された形態のノートパソコンを例示して説明したが、本発明の電子機器としてはこのようなノートパソコンに限らず、例えば、タブレット型のパソコンや、携帯電話、携帯用ゲーム機、小型テレビジョン受像器やブルーレイディスプレイヤー、ナビゲーションシステムなどの各種携帯型の電子機器、さらには、デスクトップパソコンや液晶プロジェクタなどの据え置きタイプの各種の電子機器にも使用することができる。
【００９７】
また、上記実施形態においては、動作中に発熱する発熱部品としてＣＰＵを例示して示したが、発熱部品はＣＰＵには限られず、ビデオボードなどの画像処理用の半導体チップや二次電池など、その発熱を筐体の外部に放出すべき各種の発熱部品が対象となりうる。
【００９８】
さらに、上記実施形態では、ＣＰＵからの熱を放熱体に伝達する手段として、ヒートパイプを用いた例を示したが、発熱部品であるＣＰＵに熱伝導性の接着剤を介して直接放熱体を固着することで、発熱部品からの熱を直接的に放熱体に伝達することもできる。
【産業上の利用可能性】
【００９９】
本発明にかかる電子機器は、筐体内の発熱部品からの熱を外部に排出する放熱ユニットとして、ファンからの冷却風を放熱体に導入することができ、放熱体のフィンのファンに対向する辺に塵埃が付着することを防止できるため、高い放熱効果を備えた電子機器として、各種用途に適用することができる。
【符号の説明】
【０１００】
１            ノートパソコン（電子機器）
２０            本体部
２０ａ          筐体
２４            ＣＰＵ（発熱部品）
３０            放熱ユニット
３１            ファン
３５            放熱体
３６            フィン
３６Ａ        第１のフィン
３６Ｂ        第２のフィン
【図１】
2013041334.tif 000003
【図２】
2013041334.tif 000004
【図３】
2013041334.tif 000005
【図４】
2013041334.tif 000006
【図５】
2013041334.tif 000007
【図６】
2013041334.tif 000008
【図７】
2013041334.tif 000009
【図８】
2013041334.tif 000010
【図９】
2013041334.tif 000011